(57)【要約】      （修正有）【課題】バランス調整作業を簡単にまたは省略することができ、製造時間を短縮することができるファン部材及びファンモータを提供する。【解決手段】ファン部材１０は、ファンモータに使用されるファン部材１０であって、１つの金属製板状部材から構成され、ファンモータ１の回転軸に取り付けられる基部５０と、基部５０の側面部５８の先端部５８Ｂから延在する複数の羽根部５２と、基部５０と羽根部５２とを接続する接続部５４と、が形成され、接続部５４には、回転軸にほぼ沿った一方向から逆方向へ折り返された折り返し部と、折り返し部よりも羽根部５２に近い側で折り曲げられ、羽根部５２の内端６０を構成する折り曲げ部と、が形成される。【選択図】図２
2011099340.tif 000002
【特許請求の範囲】
【請求項１】
ファンモータに使用されるファン部材であって、
１つの金属製板状部材から構成され、
前記ファンモータの回転軸に取り付けられる基部と、前記基部の周りに配置され、前記基部に近い内端と前記基部から遠い外端とを有する複数の羽根部と、前記基部と前記羽根部とを接続する接続部と、が形成され、
前記接続部には、前記回転軸にほぼ沿った一方向から逆方向へ折り返された折り返し部と、前記折り返し部よりも前記羽根部に近い側で折り曲げられ、前記羽根部の内端を構成する折り曲げ部と、が形成される、
ことを特徴とするファン部材。
【請求項２】
前記折り返し部は、折り返し線が、前記回転軸にほぼ垂直な面内で円弧状になるように形成されている、
請求項１に記載のファン部材。
【請求項３】
前記基部は、前記回転軸にほぼ直交する円板部と、円板部の外縁から前記回転軸に沿って延びる円筒形の側面部とを有する有底円筒状に形成されている、
請求項１または２に記載のファン部材。
【請求項４】
前記側面部は、前記円板部に接続される基端部と、前記円板部から遠い先端部とを有し、前記接続部の前記折り返し部は、前記側面部の前記先端部に形成されるとともに、該先端部から前記側面部の外面に沿って前記側面部の基端部に近づく方向に折り返され、前記接続部の前記折り曲げ部は、前記先端部と前記基端部との間の位置に配置され、前記羽根部は、前記円板部の外面を越えて延びないように配置される、
請求項３に記載のファン部材。
【請求項５】
前記ファン部材は、ステンレス鋼で形成される、
請求項１から４のいずれか１項に記載のファン部材。
【請求項６】
前記ファン部材の表面には、光触媒が塗布されている、
請求項１から５のいずれか１項に記載のファン部材。
【請求項７】
固定子と、
回転軸を有する回転子と、
前記回転軸に取り付けられた、請求項１から６のいずれか１項に記載のファン部材と、を備えた、
ことを特徴とするファンモータ。
【発明の詳細な説明】
【技術分野】
【０００１】
本発明は、ファン部材及びファンモータに関する。
【背景技術】
【０００２】
従来、ファンモータは、例えば特許文献１に記載されるように、モータ部を覆うように設けられる基部と、基部の周りに固定された羽根部とを有するファン部材を備える。基部は、有底筒状に形成され、その外周に複数の羽根部が等間隔に配置される。これらの羽根部は、通常、基部とは別体に成形され、基部に溶接などによって取り付けられる。
【先行技術文献】
【特許文献】
【０００３】
【特許文献１】特開２００８−２１５１５０号公報
【発明の概要】
【発明が解決しようとする課題】
【０００４】
しかしながら、このような従来のファンモータでは、ファン部材の製造時に、基部に羽根部を取り付ける際には、良好な送風性能を得るために、羽根部を基部の周りに等間隔に、所定の角度傾斜させて取り付けなければならないため、加工治具等を使用する必要あり、良好な溶接部を得るのが難しく、また良好に溶接を行うためには熟練を要する。
また溶接によって羽根部を基部に取り付けるため、溶接部における重さにばらつきが生じ、ファン部材全体の重さのバランスが不均衡になる。このようなバランスの不均衡は、ファン部材の回転むらを生じるため、従来のファンモータでは、羽根部を基部に溶接した後、ファン部材全体のバランスを調整する作業が必要となる。このバランス調整作業は、具体的には、ファン部材を回転させて重さのバランスを確認し、重さが他の部分よりも軽い部分に錘を取り付ける。その後、再度ファン部材を回転させてバランスを確認し、バランスが許容範囲内に収まるまで、バランスの確認、錘の取付の作業を繰り返す。このようなバランス調整作業は、作業者のスキルと相当な作業時間が要求される。
更に、溶接によって羽根部を基部に取り付ける場合、溶接部にさびが発生するのを防止するため、ファン部材に防錆材を塗装する必要がある場合があり、更なる作業が要求される。ここで、溶接作業時には二酸化炭素が発生し、この二酸化炭素は大気に放出される。また、防錆材を塗装する際にも、塗装剤に鉛やマンガン等の物質が含まれている場合があり、これらの物質は大気に放出されることととなり、環境上好ましくない。
【０００５】
本発明の目的は、バランス調整作業を簡単にまたは省略することができ、製造時間を短縮することができるファン部材及びファンモータを提供することにある。
【課題を解決するための手段】
【０００６】
本発明の第１の観点に係るファン部材は、ファンモータに使用されるファン部材であって、１つの金属製板状部材から構成され、ファンモータの回転軸に取り付けられる基部と、基部の周りに配置され、基部に近い内端と基部から遠い外端とを有する複数の羽根部と、基部と羽根部とを接続する接続部と、が形成され、接続部には、回転軸にほぼ沿った一方向から逆方向へ折り返された折り返し部と、折り返し部よりも羽根部に近い側で折り曲げられ、羽根部の内端を構成する折り曲げ部と、が形成される、ことを特徴としている。
【０００７】
本発明においては、ファン部材が１つの金属製板状部材から構成され、折り返し部及び折り曲げ部を有する接続部によって基部と羽根部とを一体的に接続しているので、ファン部材を曲げ加工等によって製造することが可能となる。これにより、基部に羽根部を取り付ける溶接等の作業が不要となり、ファン部材の製造工程が簡略化するとともに、溶接等の羽根部の取付作業によるファン部材のバランスの不均衡が解消される。したがって、従来必要であったバランス調整作業が簡単にまたは省略される。これによっても、ファン部材の製造工程が簡略化され、ファン部材の製造時間が短縮される。また、従来羽根部を基部に取り付けるために必要であった溶接作業が不要となるので、溶接時に発生する二酸化炭素を大気へ放出しなくて済む。
【０００８】
また、本発明の実施の形態では、折り返し部は、折り返し線が、回転軸にほぼ垂直な面内で円弧状となるように形成されている。
この実施の形態においては、折り返し部の折り返し線が、回転軸にほぼ垂直な面内で円弧状となっているので、折り返し部において折り返し線を挟んで両側に位置する板状部材も円弧状に形成されることとなる。通常、板状部材を折り返すと、部材の弾性により、折り返した部材が元の位置に戻ろうとするスプリングバックが生じる場合がある。スプリングバックが発生すると、折り返し部を所望の折り返し角度で折り返して維持することができず、接続部を所望の形状に成形することが困難な場合がある。この実施の形態では、折り返し線が円弧状に形成されているので、折り返し部が所望の角度に折り返されるとともに、折り返し部における板状部材のスプリングバックが防止され、所望の折り返し部の形状が維持される。
【０００９】
本発明の別の実施の形態では、基部は、回転軸にほぼ直交する円板部と、円板部の外縁から回転軸に沿って延びる円筒形の側面部とを有する有底円筒状に形成されている。
この別の実施の形態においては、基部が有底円筒状に形成されているので、例えば円板部と側面部とに囲まれた円筒状内部にファンモータの構造部品である固定子や回転子を配置すれば、基部がこれらの構造部品のカバーの役割を果たす。したがって、ファンモータの内部の構造部品にごみやほこりが侵入するのが防止される。
【００１０】
本発明の更に別の実施の形態では、側面部は、円板部に接続される基端部と、円板部から遠い先端部とを有し、接続部の折り返し部は、側面部の先端部に形成されるとともに、該先端部から側面部の外面に沿って側面部の基端部に近づく方向に折り返され、接続部の折り曲げ部は、先端部と基端部との間の位置に配置され、羽根部は、基端部を越えて延びないように配置される。
【００１１】
この更に別の実施の形態においては、折り返し部が側面部の先端部に形成され、折り曲げ部が先端部と基端部との間の位置に配置され、これにより、羽根部が、基端部を越えて延びないように配置されている。したがって、羽根部が円板部を越えて配置される場合に比べて、ファン部材全体の回転軸に沿った寸法を小さくすることができ、ファンモータの小型化が促進される。ここで、ファンモータにおいては、規格その他の理由により、内部の構造部品を所定の大きさのケースに収める必要があり、そのため羽根部の寸法にも制限が課せられる場合がある。このような場合に、この更に別の実施の形態では、羽根部が基端部を越えて延びないように配置されているので、限られた寸法のケース内で基部の回転軸に沿った寸法を大きく取ることができる。したがって、基部内部にモータ部等の内部構造を収容する場合にも、より大きなスペースを確保することができるから、モータ性能、ひいては送風性能が良好となる。
【００１２】
本発明の他の実施の形態では、ファン部材は、ステンレス鋼で形成される。
この他の実施の形態においては、ファン部材がステンレス鋼で形成されるので、ファン部材の成形後、錆発生防止のための塗装を行う必要がない。したがって、ファン部材の製造工程が更に簡略化され、ファン部材の製造コストが削減されると共に、製造時間が短縮される。また、塗装作業が省略されれば、塗装剤に含まれる物質が大気に放出されることがない。
【００１３】
本発明の更に他の実施の形態では、ファン部材の表面には、光触媒が塗布されている。
この更に他の実施の形態においては、ファン部材の表面に光触媒が塗布されているので、ファン部材に、抗菌作用、除塵作用が得られる。また、ファン部材に塗布した光触媒により空気清浄効果が得られるため、ファン部材で送風する空気を清浄する効果も得られる。
【００１４】
本発明の第１の観点に係るファンモータは、固定子と、回転軸を有する回転子と、回転軸に取り付けられた、前述のファン部材と、を備えた、ことを特徴としている。
本発明においては、ファンモータが前述のファン部材を備えているので、前述のような効果を得ることができ、バランス調整作業を簡単にまたは省略することができるから、ファンモータの製造工程が簡略化するとともにファンモータの製造時間が短縮される。
【図面の簡単な説明】
【００１５】
【図１】本発明の一実施形態によるファンモータの断面図である。
【図２】本発明の一実施形態によるファンモータのファン部材の斜視図である。
【図３】本発明の一実施形態によるファン部材の部分側断面図である。
【図４】本発明の一実施形態によるファン部材の製造工程を示す図である。
【図５】本発明の一実施形態によるファン部材の製造工程を示す図である。
【図６】本発明の一実施形態によるファン部材の製造工程を示す図である。
【図７】本発明の一実施形態によるファン部材の製造工程を示す図である。
【図８】本発明の変形例によるファン部材を示す斜視図である。
【図９】本発明の別の変形例によるファン部材を示す斜視図である。
【発明を実施するための形態】
【００１６】
以下、本発明の好ましい一実施形態を添付図面を参照して説明する。
図１は、本発明の一実施形態によるファンモータ１の断面図である。この図１に示すように、本発明の一実施形態によるファンモータ１は、例えば、ショーケースの換気や食品冷蔵庫内の温度を均一にするために設置された空間内の空気を循環させるためや、ある装置の発熱部分に送風して冷却するために用いられる。ファンモータ１は、ファンモータ１を設備に設置するための取付部分となるブラケット２と、ブラケット２上に配置された回転子４および固定子６と、回転子４および固定子６を取り囲むカバー部８と、カバー部８の上側および周囲を覆うように配置されたファン部材１０とを備えている。また、これらの構造部品は、ケース１２に収容されている。なお、本実施形態において、説明を簡単にするため、図１の上方をファンモータ１の上方、図１の下方をファンモータ１の下方として説明する。
【００１７】
ブラケット２は、円盤状に形成され、中央に貫通孔１４が形成されている。貫通孔１４には、軸受１６を介して回転軸１８の一端（下端）が回転可能に取り付けられている。また、ブラケット２の外周縁には、固定子６に接続されるリード線２０が貫通するための切欠部２２が形成されている。
【００１８】
回転子４は、回転軸１８の周りに取り付けられたコアプレート積層体２４と、コアプレート積層体２４の上下面にそれぞれ設けられる短絡リング２６，２８とを備えている。
コアプレート積層体２４は、ケイ素鋼板等からなる環状のコアプレートを複数枚積層して形成されている。短絡リング２６，２８は、環状に形成されており、コアプレート積層体２４に形成された複数個の孔（図示せず）を通して籠形状にアルミダイキャストで短絡されている。回転子４は、回転軸１８に取り付けられているので、回転子４が回転すると回転軸１８も共に回転するようになっている。
【００１９】
固定子６は、カバー部８の内面に取り付けられ、コアプレート積層体３０と、コアプレート積層体３０に巻き回されるコイル３２とを備えている。
コアプレート積層体３０は、絶縁性プラスチックからなる下ボビンケース３４上にケイ素鋼板等からなるコアプレートを複数枚積層して形成されている。コアプレート積層体３０の上方には、上ボビンケース３６が設けられている。コイル３２は、コアプレート積層体３０の周囲に上下ボビンケース３４，３６を介して連続的に巻き回されている。コイル３２の上下面には下絶縁キャップ３８および上絶縁キャップ４０が設けられている。
【００２０】
カバー部８は、円筒状の側壁の上面を円盤状部材で塞いだ有底円筒形状に形成されており、その中央部に貫通孔４２が形成されている。この貫通孔４２には、軸受４６を介して回転軸１８の他端（上端）が回転可能に取り付けられている。したがって、回転軸１８は、軸受１６，４６によって回転可能に支持される。
また、カバー部８の下端は、ブラケット２に固定されている。カバー部８とブラケット２との間には、Ｏリング４８が介装されることにより、カバー部８及びブラケット２で囲まれる内部空間が液密に封止される。
ここで、カバー部８の側壁の内面には、前述の固定子６が固定され、回転軸１８には回転子４が固定されているので、回転子４は、回転軸１８とともに、固定子６の内側で固定子６に対して回転可能に配置されている。
【００２１】
図２は、本発明の一実施形態によるファンモータ１のファン部材１０を示す斜視図である。また、図３は、本発明の一実施形態によるファン部材１０の一部側断面図である。これらの図２及び図３に示すように、ファン部材１０は、回転軸１８に取り付けられる基部５０と、基部５０の周りに配置される複数の羽根部５２と、基部５０及び羽根部５２を接続する接続部５４と、を備える。ファン部材１０は、１枚の金属製板状部材をプレス加工することによって基部５０、羽根部５２、及び接続５４が一体に形成されている。なお、本実施形態では、ファン部材１０の材料としてステンレス鋼が用いられているが、その他の任意の金属を用いることができる。
【００２２】
基部５０は、上面である円板部５６と、円板部５６の周りに形成される円筒状の側面部５８とを有する、有底円筒状または逆椀状に形成されている。円板部５６の中央には、凹部５６Ａが形成され、凹部５６Ａの中央には、回転軸１８が貫通するための貫通孔５９が形成されている。貫通孔５９を通してファン部材１０が回転軸１８に固定されることにより、回転軸１８が回転するとファン部材１０もともに回転するようになっている。このとき、円板部５６に凹部５６Ａが形成されているため、回転軸１８に円板部５６を固定する際のボルト５７（図１）は、円板部５６よりも上方に突出しないようになっている。
側面部５８は、回転軸１８に平行に延びる円筒状に形成されており、円板部５６の外縁に連続する基端部（上端部）５８Ａと、円板部５６から遠い先端部（下端部）５８Ｂとを有する。側面部５８の基端部５８Ａから先端部５８Ｂまでの高さＨ1（図３）は、図１にも示すように、カバー部８の高さの半分程度に設定されている。
【００２３】
羽根部５２は、基部５０の側面部５８に複数枚（本実施形態では５枚）等間隔に配置されている。羽根部５２は、側面部５８の外面（周面）に隣接して配置される半径方向内側の内端６０と、半径方向外側の外端６２とを有する。羽根部５２は、円周方向に沿って、回転軸１８に垂直な面に対して所定角度だけ傾斜しており、また内端６０から外端６２に向かって、且つ円周方向に沿って、湾曲している。
ここで、羽根部５２の寸法、枚数、面積、形状、傾斜角度等は、ファンモータ１の使用条件等を勘案して、最適な風量が得られるように設計される。なお、ファンモータ１は、使用環境や規格により、ケース１２の寸法が制限されることが多々ある。このような場合には、回転子４及び固定子６の占めるスペースを除いた部分が羽根部５２を配置することができるスペースとなる。そこで、羽根部５２の寸法、枚数、面積、形状、傾斜角度等は、制限されたスペースにおいて最大の送風効率が得られるように設計されればよい。
【００２４】
羽根部５２の上端は、側面部５８の基端部５８Ａよりも上方に突出せず、したがって、基部５０の円板部５６よりも上方に突出しない。また、羽根部５２の下端は、側面部５８の先端部５８Ｂよりも下方に突出しているが、羽根部５２の高さＨ2は、カバー部８の高さよりも小さく設定されている。よって、羽根部５２の高さＨ2は、ファン部材１０を回転軸１８に取り付けたとき、羽根部５２の下端とケース１２の底面との間に隙間が形成されるような寸法になっている。
【００２５】
接続部５４は、基部５０と羽根部５２との間に連続的に形成されており、基部５０の側面部５８の先端部５８Ｂに形成された折り返し部６４と、羽根部５２の内端６０に形成された折り曲げ部６６とを有する。
【００２６】
折り返し部６４は、接続部５４の一端に形成され、基部５０の側面部５８の先端部５８Ｂから連続する板状部分を上方に向かって折り返すことによって形成されている。したがって、折り返し部６４は、回転軸１８に沿って平行に下方に延びる側面部５８の先端部５８Ｂから、先端部５８Ｂに向かう方向とは逆方向、即ち、回転軸１８に沿って平行に上方に延びるように、約３６０°折り返されている。このような折り返し部６４の形状により、側面部５８の外周面と接続部５４の内周面とが接触している。また、折り返し部６４の折り返し線６４Ａは、側面部５８の先端部５８Ｂの形状と一致し、このため、折り返し線６４Ａは、回転軸１８に垂直な面内で、回転軸１８を中心とする円弧状に形成されている。
【００２７】
折り曲げ部６６は、接続部５４の他端に形成され、接続部５４の他端を外方に折り曲げることによって形成されている。折り曲げ部６６は、羽根部５２の内端６０を形成しており、接続部５４と羽根部５２との間の角度が９０°前後の角度を成すように、且つ所定の円弧Ｒを有して折り曲げられている。ここで、羽根部５２は、回転軸１８に垂直な面に対して周方向に傾斜しているので、折り曲げ部６６の折り曲げ線６６Ａも、回転軸１８に垂直な面に対して周方向に傾斜するように配置されている。折り曲げ線６６Ａの上端６７Ａは、側面部５８の基端部５８Ａと先端部５８Ｂの間の位置に配置され、したがって、折り曲げ線６６が側面部５８の基端部５８Ａから、つまり円板部５６の上面から上方に突出することがない。よって、羽根部５４のうち最も上方に位置する部分が、円板部５６の上面から上方に突出することがなく、羽根部５４全体が、円板部５６の上面よりも下方に配置されている。また、折り曲げ線６６Ａの下端６７Ｂは、側面部５８の先端部５８Ｂの位置に一致する。
このような形状により、接続部５４は、折り返し線６４Ａ及び折り曲げ線６６Ａが２辺を構成する略三角形状に形成される。また、接続部５４は、側面部５８の外面に沿って円筒周面状に形成され、つまり、回転軸１８に垂直な面で切断した断面での形状が円弧状になっている。
【００２８】
次に、このような構造のファン部材１０の製造方法について説明する。
図４乃至図７は、本発明の一実施形態によるファン部材１０の製造工程を示す図である。まず、一枚の金属板状部材から、円形のブランク材を打ち抜き加工する。円形の半径は、基部５０を形成するための円形部分の寸法と、その周りに羽根部５２及び接続部５４を形成するための寸法とを考慮して設定する。
【００２９】
次に、図４に示すように、円形のブランク材の中央に、数回にわたって又は１回で深絞りを行い、基部５０に対応する部分７０を形成する。このとき、基部５０に対応する部分７０の外周にある平坦部分は、接続部５４及び羽根部５２に対応する円環状部分７２となる。
次に、図５に示すように、円環状部分７２を、接続部５４及び羽根部５２に対応する形状に打ち抜き加工する。本実施形態では、接続部５４及び羽根部５２は、５つ設けられているので、円環状部分７２に等間隔に５つの、接続部５４及び羽根部５２に対応する部分７４が形成される。また、この打ち抜き加工により、基部５０に対応する部分７０に基部５０の先端部５８Ｂが形成され、これにより、基部５０が形成される。
【００３０】
次に、接続部５４と基部５０の先端部５８Ｂとの間の境界線を折り返し線６４Ａとし、この折り返し線６４Ａに沿って部分７４を曲げ加工することにより、折り返し部６４を形成する。具体的には、図５の状態では、折り返し線６４Ａと、折り曲げ線６６Ａに対応する、湾曲した境界線７５との間に形成される接続部５４に対応する部分７６が、側面部５８に対して約９０°の角度を成している。この部分７６を上方に段階的にまたは一度に上方に折り曲げて、側面部５８に近づけ、最終的には、側面部５８の周面形状に沿った形状に成形する。このような加工により、部分７４は、図６に示すように、接続部５４が側面部５８の円筒周面に沿って配置され、羽根部５２に対応する部分７８が、接続部５４から連続して上方に立ち上がった形状となる。
【００３１】
最後に、境界線７５を折り曲げ線６６Ａとして、羽根部５２に対応する部分７８を下方に折り曲げ、図７に示すように、側面部５８に対してほぼ９０°に折り曲げられた羽根部５２を形成する。なお、羽根部５２は、所定の湾曲形状となるように、折り曲げ線６６Ａで折り曲げると同時に、湾曲させる。
以上のような工程により、ファン部材１０の基部５０、接続部５４、及び羽根部５２を形成する。その後、基部５０の円板部５６に凹部５６Ａを形成し、回転軸１８に取り付けるための貫通孔５９を形成する。
【００３２】
以上のような実施形態によれば、次のような優れた効果が得られる。
基部５０、羽根部５２、及び接続部５４で構成されるファン部材１０が、一枚の金属製板状部材から構成されているので、打ち抜き加工やプレス加工によってファン部材１０を製造することができる。したがって、従来羽根部を基部に取り付けるために行っていた溶接が不要となるため、ファン部材１０の重量のばらつきが少なくなり、バランス調整作業を簡単にまたは完全に省略することができる。ここで、ファン部材１０のバランス調整作業が必要であるか否かは、打ち抜き加工の精度や、プレス加工の精度、板状部材の厚みや重さの均一性等による。例えば、加工精度や板状部材の寸法精度が高くなれば、これらのばらつきがファン部材１０の重量のばらつきに与える影響が小さくなる。ファン部材１０の重量のばらつきが所定許容範囲内であれば、バランス調整作業を完全に省くことができるから、本発明は非常に有用である。
【００３３】
また、バランス調整作業を簡単にまたは省略することができることにより、ファン部材１０の製造工程が簡単になり、製造時間を短縮することができ、製造コストを低減することができる。特に、バランス調整作業を省略することができれば、プレス加工工場から搬入されたファン部材１０に対して更なる作業を行う必要がない。したがって、プレス加工工場から出荷されたファン部材１０をそのまま取り付けてファンモータ１を製造することができるので、製造工程を大幅に簡略化することができる。
【００３４】
ファン部材１０が一枚の金属製板状部材から構成され、溶接が不要となるため、溶接部の錆の発生の可能性を除去することができる。したがって、使用する材料によっては、従来必要であった防錆剤の塗装作業を省くことができる。これにより、ファン部材１０の製造工程がより一層簡単になり、製造コストをより一層削減することができる。また、溶接作業が不要になることで、溶接時に発生する二酸化炭素の大気への放出をなくすことができるので、大気汚染の抑制を図ることができる。更に、塗装作業が不要になることで、防錆剤（塗装剤）の使用が不要となるから、塗装剤に含まれる鉛、マンガン等の物質を大気に放出することがなくなるので、環境汚染の抑制にも貢献する。
【００３５】
折り返し線６４Ａが、回転軸１８に垂直な面内で円弧状に形成されているので、折り返し部６４で折り返した接続部５４が、ステンレス鋼の弾性によって元に戻ろうとする、スプリングバックの発生を防止することができる。これにより、接続部５４が側面部５８に対して３６０°折り返された状態で接続部５４を保持することができる。
また、接続部５４も側面部５８の周面に沿って円筒状周面を形成するように回転軸１８を中心とする円筒状に湾曲しているので、この接続部５４の形状によっても、接続部５４のスプリングバックの発生を防止して、接続部５４を側面部５８に沿った位置に保持することができる。したがって、このような折り返し線６４Ａ及び接続部５４の形状自体が、接続部５４の位置を折り返し位置で保持する保持手段として機能することができる。
【００３６】
基部５０が、円板部５６と側面部５８とを有する有底円筒状に形成されているので、カバー部８の上部及び側壁を覆って、内部の固定子６及び回転子４を保護することができる。よって、カバー部８内部にごみやほこりが侵入するのを防止して、ファンモータ１の内部をクリーンな状態に保つことができる。
【００３７】
羽根部５２の上端（本実施形態では、内端６０の最も上方の部分）が、円板部５６の上面よりも下方に位置しているので、ファン部材１０を回転軸１８に取り付けたとき、羽根部５２が基部５０の上面よりも上方に突出しない。したがって、ケース１２の高さ寸法を、基部５０の円板部５６の高さに合わせて設計することができるから、ケース１２、ひいてはファンモータ１の小型化を促進することができる。また、ケース１２の寸法が規格等によって制限される場合には、限られたケース１２の高さ内で円板部５６をより高く配置することができ、カバー部８内部のモータ構造部品のための空間を大きく確保することができるから、モータの性能を向上させることができる。
【００３８】
ファン部材１０をステンレス鋼で形成したので、錆の発生を防止することができる。これにより、ファン部材１０の表面に防錆剤を塗布する必要がないから、ファン部材１０の製造工程をより一層簡略化することができるとともに、製造時間を更に短縮することができ、製造コストを低減することができる。
【００３９】
本発明は、以上の実施の形態に限定されることなく、特許請求の範囲に記載された発明の範囲内で種々の変更が可能であり、それらも本発明の範囲内に包含されるものであることはいうまでもない。
基部、接続部、及び羽根部の形状は、ファン部材１０の使用環境やファンモータ１の他の構成部品の設計に応じて適宜変更することができる。例えば、図８に示すように、基部８０の側面部８２を、前述の実施形態におけるカバー部８の側面をほぼ覆うように、前述の実施形態による側面部５８より高さ寸法を大きく形成してもよい。この場合には、接続部８４を、略台形に形成し、その一端に折り返し部８６を形成し、他端に折り曲げ部８８を形成すればよい。この場合には、基部８０がモータの構成部品のほぼ全部を覆うことができるので、モータ部分にごみやほこりが入るのをより確実に防止することができる。また、接続部８４が略台形に形成されるので、接続部８４の回転軸に沿った長さを調整することにより、回転軸に沿った方向における羽根部８９の位置（高さ位置）を自由に設定することができる。
【００４０】
また、例えば図９に示すように、基部９０は、前述の実施形態のような側面部５８を備えず、円板部９１のみを有していてもよい。この場合には、接続部９２は、円板部９１の外縁から回転軸に沿って下方に延びる矩形状部分９３と、矩形状部分９３の下端に形成された折り返し部９４と、折り返し部９４から回転軸に沿って上方に延びる三角形部分９５と、三角形部分９５の端部（上端）に形成された折り曲げ部９６とを有して構成されていてもよい。この場合には、折り返し部９４は、基部９０と接続部９２との境界部分に形成されず、矩形状部分９３と三角形部分９５との間に形成される。
更には、基部は、円板状に形成されるものに限らず、例えば多角形状に形成されてもよく、または、回転軸を中心に半径方向に延びる、羽根部の枚数に対応した数のアームで構成されていてもよい。
【００４１】
折り返し部は、前述の実施形態では、約３６０°に折り返されていたが、この角度に限定されるものではなく、回転軸にほぼ沿った一方向から逆方向へ折り返されるものであれば本発明の範囲内に包含され、例えば、折り返し線を挟んで折り返される両側の部材の角度が、鋭角を成すようになっていてもよい。
また、折り曲げ部は、接続部と羽根部が約９０°に折り曲げられるものに限らず、羽根部の基部に対する位置や、ファンモータの仕様等に応じて任意の角度に設定することができる。
【００４２】
ファン部材に、光触媒を塗布してもよい。この場合には、光触媒は、例えばファン部材の羽根部の表面のみや、基部の外面のみというように、ファン部材の一部に塗布してもよいし、あるいは、光触媒をファン部材の全面に塗布してもよい。要するに、光触媒は、ファン部材の少なくとも一部に塗布されていればよい。このようにファン部材の少なくとも一部に光触媒が塗布されていると、光触媒の触媒作用により、ファン部材の抗菌、除塵効果が得られる。また、光触媒によって周囲の空気の清浄効果が得られるため、ファン部材がファンモータに取り付けられた場合には、ファンモータによって空気を送風するとともに当該空気を清浄することができる。したがって、ファンモータが取り付けられた環境内の空気を清浄することができる。
【００４３】
回転子と固定子は、前述の実施形態の構造に限らず、任意の構造のものが採用でき、例えば、回転子を固定子の外側に配置し、固定子をブラケットに固定し、回転子をロータケースを介して回転軸に取り付けてもよい。この場合には、回転子及びロータケースが固定子に対して回転し、回転軸を回転させる。
羽根部の数は、ファンモータの使用条件等を勘案して任意に設定できる。また、所定枚数の羽根部を有するファン部材を複数重ね合わせて、より多くの数の羽根部を取り付けるようにしてもよい。
【符号の説明】
【００４４】
１  ファンモータ
４  回転子
６  固定子
１０  ファン部材
１８  回転軸
５０  基部
５６  円板部
５８  側面部
５８Ａ  基端部
５８Ｂ  先端部
５２  羽根部
５４  接続部
６４  折り返し部
６６  折り曲げ部
【図１】
2011099340.tif 000003
【図２】
2011099340.tif 000004
【図３】
2011099340.tif 000005
【図４】
2011099340.tif 000006
【図５】
2011099340.tif 000007
【図６】
2011099340.tif 000008
【図７】
2011099340.tif 000009
【図８】
2011099340.tif 000010
【図９】
2011099340.tif 000011